(57)【要約】【課題】護岸などの臨水壁に少ない作業工数で簡易に堤防を構築することができる堤防の構築方法を提供する。【解決手段】臨水壁１０の上面１０ａに止水材３および滑動抵抗材４を介在させてプレキャスト擁壁２を所定位置に載置することにより、止水材３をプレキャスト擁壁２の延在方向に連続させて配置した状態にしてプレキャスト擁壁２の設置を完了する。高潮などの時には、臨水壁１０を超える波の少なくとも一部を臨水壁１０の上面１０ａに設置されたプレキャスト擁壁２によって遮断する。プレキャスト擁壁２に波が衝突した場合にも、臨水壁１０の上面１０ａとプレキャスト擁壁２との間に介在する止水材３により陸地側への漏水が防止され、介在する滑動抵抗材４により臨水壁１０に対してプレキャスト擁壁２を十分に固定することができる。【選択図】図３
2020016061.tif 000002
【特許請求の範囲】
【請求項１】
臨水壁の上面に止水材および滑動抵抗材を介在させてプレキャスト擁壁を所定位置に載置することにより、前記止水材を前記プレキャスト擁壁の延在方向に連続させて配置した状態にして前記プレキャスト擁壁の設置を完了し、前記臨水壁を超える波の少なくとも一部を前記臨水壁の上面に設置された前記プレキャスト擁壁によって遮断することを特徴とする堤防の構築方法。
【請求項２】
前記プレキャスト擁壁を前記臨水壁の上面に載置する前に、前記止水材および前記滑動抵抗材を前記プレキャスト擁壁の下面に予め接合しておく請求項１に記載の堤防の構築方法。
【請求項３】
前記プレキャスト擁壁を前記臨水壁の上面に載置する前に、前記止水材および前記滑動抵抗材を前記臨水壁の上面に予め敷設しておく請求項１に記載の堤防の構築方法。
【請求項４】
前記止水材と前記滑動抵抗材とに同じ部材を使用する請求項１〜３のいずれかに記載の堤防の構築方法。
【請求項５】
前記止水材と前記滑動抵抗材とに別種類の部材を使用する請求項１〜３のいずれかに記載の堤防の構築方法。
【請求項６】
前記滑動抵抗材よりも前記臨水壁が面している水域側に前記止水材を配置する請求項５に記載の堤防の構築方法。
【発明の詳細な説明】
【技術分野】
【０００１】
本発明は、堤防の構築方法に関し、さらに詳しくは、護岸などの臨水壁に少ない工数で簡易に堤防を構築することができる堤防の構築方法に関するものである。
【背景技術】
【０００２】
地球温暖化にともなう水面上昇や台風の大型化などの影響により、これまで高潮や津波による水害が生じていなかった臨水壁（護岸など）においても水害が発生するリスクが高まっている。そこで、従来、水害対策として、既設の臨水壁に対して新たにコンクリートなどで形成された擁壁を増設して臨水壁を嵩上げする堤防の構築方法が種々提案されている（例えば、特許文献１参照）。
【０００３】
特許文献１に記載の堤防では、臨水壁に深い溝を設けて、その溝にブロックパネルの一部を挿し込むことにより、臨水壁に擁壁を構築する。しかしながら、この堤防を臨水壁に採用する場合には、臨水壁に深い溝を形成する必要があり、その施工に多くの労力とコストを要する。また、臨水壁に深い溝を形成することで、臨水壁の強度が低下するという問題もある。
【先行技術文献】
【特許文献】
【０００４】
【特許文献１】特開２０１５−３１０６８号公報
【発明の概要】
【発明が解決しようとする課題】
【０００５】
本発明の目的は、護岸などの臨水壁に少ない工数で簡易に堤防を構築することができる堤防の構築方法を提供することにある。
【課題を解決するための手段】
【０００６】
上記目的を達成するため本発明の堤防の構築方法は、臨水壁の上面に止水材および滑動抵抗材を介在させてプレキャスト擁壁を所定位置に載置することにより、前記止水材を前記プレキャスト擁壁の延在方向に連続させて配置した状態にして前記プレキャスト擁壁の設置を完了し、前記臨水壁を超える波の少なくとも一部を前記臨水壁の上面に設置された前記プレキャスト擁壁によって遮断することを特徴とする。
【発明の効果】
【０００７】
本発明では、臨水壁の上面に止水材および滑動抵抗材を介在させてプレキャスト擁壁を所定位置に載置することでプレキャスト擁壁の設置が完了するので、臨水壁に溝などを形成する工事を要する従来の堤防の構築方法に比して工数や労力を大幅に低減することができる。プレキャスト擁壁に波が衝突した場合にも、臨水壁の上面とプレキャスト擁壁との間に介在する止水材により陸地側への漏水が防止され、介在する滑動抵抗材により臨水壁に対してプレキャスト擁壁を十分に固定することができる。
【図面の簡単な説明】
【０００８】
【図１】本発明の堤防の構築方法の実施形態において、臨水壁の上面にプレキャスト擁壁を載置する工程を側面視で模式的に示す説明図である。
【図２】図１のＡ矢視図である。
【図３】図１の臨水壁の上面にプレキャスト擁壁を載置した状態を側面視で模式的に例示する説明図である。
【図４】図３のＢ矢視図である。
【図５】図３のＣ矢視図である。
【図６】本発明の堤防の構築方法の別の実施形態において、臨水壁の上面にプレキャスト擁壁を載置する工程を側断面視で模式的に示す説明図である。
【図７】図６から臨水壁の上面にプレキャスト擁壁を載置した状態を側断面視で模式的に例示する説明図である。
【図８】図７のＤ矢視図である。
【図９】図７のＥ−Ｅ断面矢視図である。
【発明を実施するための形態】
【０００９】
以下、本発明の堤防の構築方法を図に示した実施形態に基づいて説明する。
【００１０】
本発明では、図１〜図５に示すように、海や湖、河川などに面する臨水壁１０に、プレキャスト擁壁２、止水材３、および滑動抵抗材４を用いて堤防１を構築する。本願図中では、臨水壁面１０ｂに対する法線方向をＸ方向とし、水平方向においてＸ方向に直交する臨水壁面１０ｂの延在方向をＹ方向とし、上下方向をＺ方向としている。本願図中のＷＬは平常時の水位を示している。以下では、Ｘ方向において、臨水壁１０が面している水域側を水域側といい、その反対側を陸地側という。
【００１１】
プレキャスト擁壁２（以下、擁壁２という）は、鉄筋を配したコンクリートで形成される。擁壁２は、臨水壁１０に堤防１を構築する施工前に予め工場等で製造される。この実施形態では、側面視でＬ字状であり、正面視および平面視で四角形状の擁壁２を例示している。この擁壁２の下面２ａは平坦に形成されている。擁壁２には、吊具を連結可能な連結治具５が複数打ち込まれている。連結治具５としては、リフトアンカーなどが例示できる。擁壁２の形状は特に限定されず、例えば、側面視で四角形状やＴ字状、正面視や平面視でＬ字状やＺ字状などの擁壁２にすることもできる。
【００１２】
止水材３は不透水性の部材であり、例えば、瀝青材料やゴム材料、樹脂材料などで形成される。施工現場で固化させる液状の止水材３を用いることもできるが、予めシート状に成形されている止水材３を用いるとよい。具体的には、止水材３としては、例えば、瀝青質目地板や瀝青質繊維性目地板、ゴム製シート、塩化ビニル製シートを用いるとよい。
【００１３】
滑動抵抗材４は、臨水壁１０に対して擁壁２の滑動を防止して固定させる部材であり、コンクリートに対する摩擦抵抗の大きい瀝青材料やゴム材料、樹脂材料などで形成される。施工現場で固化させる液状の滑動抵抗材４を用いることもできるが、予めシート状に成形されている滑動抵抗材４を用いるとよい。具体的には、滑動抵抗材４しては、例えば、瀝青質目地板や瀝青質繊維性目地板を用いるとよい。
【００１４】
止水材３と滑動抵抗材４は同じ部材で構成することもできるし、それぞれ別種類の部材で構成することもできる。止水材３の機能と滑動抵抗材４の機能を兼ね備えた部材（止水材兼滑動抵抗材３、４）としては、瀝青質目地板や瀝青質繊維性目地板などの瀝青材料で形成された部材が例示できる。
【００１５】
図１および図２に示すように、本発明では、まず、臨水壁１０の上面１０ａの所定位置に止水材３および滑動抵抗材４を敷設する。この所定位置は、擁壁２を設置する予定の位置である。この実施形態では、止水材３および滑動抵抗材４として、止水材３の機能と滑動抵抗材４の機能を兼ね備えた止水材兼滑動抵抗材３、４を臨水壁１０の上面１０ａに敷いている。滑動抵抗材４（止水材３）と上面１０ａとは、接着剤によって接合することも、接合せずに滑動抵抗材４を単純に敷設しただけにすることもできる。
【００１６】
次いで、クレーンなどの重機を使用して擁壁２を吊り上げ、予め敷設した止水材３および滑動抵抗材４（止水材兼滑動抵抗材３、４）の上に擁壁２を載置する。臨水壁１０の上面１０ａには擁壁２を設置するための溝や穴などを設ける加工を行わない。即ち、臨水壁１０の強度を低下させる加工はしない。擁壁２の載置により、臨水壁１０に対する擁壁２の設置が完了する。擁壁２の下面２ａと滑動抵抗材４（止水材３）は接合せずに、擁壁２を単純に載置しただけにする。
【００１７】
図３に示すように、臨水壁１０に対する擁壁２の設置が完了した状態では、擁壁２がＹ方向に延在配置され、臨水壁１０の上面１０ａと擁壁２の下面２ａとの間に止水材３および滑動抵抗材４が介在した状態となる。止水材３は擁壁２の延在方向（Ｙ方向）に連続して配置された状態となる。この実施形態では、止水材３と滑動抵抗材４を兼ねた止水材兼滑動抵抗材３、４が擁壁２の下面２ａの全範囲に配置され、臨水壁１０の上面１０ａと擁壁２の下面２ａとが接触しない状態となっている。
【００１８】
滑動抵抗材４（止水材３）は擁壁２の自重によって圧縮されて、擁壁２の下面２ａと臨水壁１０の上面１０ａに圧着する。滑動抵抗材４は擁壁２の下面２ａとの間、臨水壁１０の上面１０ａとの間のそれぞれに摩擦抵抗を生じさせるため、擁壁２は滑動抵抗材４によって臨水壁１０の上面１０ａに固定された状態になる。滑動抵抗材４によって擁壁２を臨水壁１０の上面１０ａに固定させる力は、擁壁２の自重、擁壁２の下面２ａと滑動抵抗材４との接触面積に大きく影響を受ける。したがって、強い固定力を得るために擁壁２の下面２ａと臨水壁１０の上面１０ａとの接触面積は十分に広くすることが望ましい。換言すれば、十分な固定力を得ることができるならば擁壁２の下面２ａの全範囲に滑動抵抗材４を配置しなくてもよい。一方、止水材３は水域側からの水を遮断するために、擁壁２の延在方向全長にわたって延在させる。この実施形態では、止水材兼滑動抵抗材３、４を擁壁２の延在方向全長にわたって延在させている。
【００１９】
図４および図５に示すように、複数の擁壁２をＹ方向に並べて堤防１を構築する場合には、擁壁２どうしを互いの側面２ｂを対向させて隣接配置し、対向した擁壁２の側面２ｂどうしの間に止水材６を介在させる。擁壁２どうしの間に介在させる止水材６は、臨水壁１０と擁壁２との間に介在させる止水材３と同じ部材を使用してもよいし、別種類の部材を使用してもよい。擁壁２のＹ方向に延在する側面２ｂどうしの間に、止水材６の機能と滑動抵抗材４の機能を兼ね備えた止水材兼滑動抵抗材を介在させることもできる。
【００２０】
複数の擁壁２を並べて堤防１を構築する場合には、すべての擁壁２の設置予定範囲に止水材３および滑動抵抗材４の敷設作業を完了した後に、擁壁２の設置作業を行ってもよいし、止水材３および滑動抵抗材４の敷設作業と擁壁２の設置作業を交互に行ってもよい。また、擁壁２の側面２ｂどうしの間に介在させる止水材６は、擁壁２を臨水壁１０の上面１０ａに載置した後に擁壁２の側面２ｂに設置或いは塗布することもできるし、擁壁２を臨水壁１０の上面１０ａに載置する前に予め擁壁２の側面２ｂに接合しておくこともできる。擁壁２を臨水壁１０の上面１０ａに載置した後は、装飾や防錆などを目的として必要に応じて擁壁２や臨水壁１０の上面１０ａの塗装などの付随作業を行うこともあるが、臨水壁１０の強度を低下させる加工はしない。
【００２１】
このように、臨水壁１０の上面１０ａに載置した擁壁２を堤防１として用いる。高潮などの時には、臨水壁１０を超える波の少なくとも一部を臨水壁１０の上面１０ａに設置された擁壁２によって遮断する。擁壁２に波が衝突した場合にも、臨水壁１０の上面１０ａと擁壁２との間に介在する止水材３により陸地側への漏水が防止され、介在する滑動抵抗材４により臨水壁１０に対して擁壁２を十分に固定することができる。
【００２２】
このように、本発明では、臨水壁１０の上面１０ａに止水材３および滑動抵抗材４を介在させて擁壁２を所定位置に載置することで擁壁２の設置が完了するので、臨水壁１０に溝などを形成する工事を要する従来の堤防の構築方法に比して工数や労力を大幅に低減することができる。臨水壁１０に溝や穴などを設ける加工を施す必要がないため、臨水壁１０の強度が低下することもない。
【００２３】
また、本発明では、堤防１を構築した後に、必要に応じて堤防１の撤去や移設も簡易に短時間で行うことができる。例えば、平常時には擁壁２、止水材３、および滑動抵抗材４、或いは、少なくとも擁壁２を、臨水壁１０の所定位置とは異なる場所に保管しておき、台風に関する気象情報に基づいて、高潮が予測されるときにだけ堤防を構築することもできる。即ち、本発明は、常設の堤防１を構築する方法のほか、係留施設などの平常時には堤防１の設置を避けたい場所に仮設の堤防１を構築する方法としても用いることができる。平常時に堤防１の設置を避けたい場所では、堤防１の構築および撤去に多大な時間を要する場合は、その場所が本来の機能を発揮する時間が失われるため、それを回避できる本発明は極めて有益である。
【００２４】
本発明では、臨水壁１０に特殊な加工を施す必要はないが、臨水壁１０の上面１０ａが汚れている場合や上面１０ａに滑動抵抗材４が滑り易い塗装などが施されている場合には、必要に応じて堤防１を構築する前に、臨水壁１０の上面１０ａの洗浄やケレン処理を行うとよい。
【００２５】
この実施形態のように、擁壁２を臨水壁１０の上面１０ａに載置する前に、止水材３および滑動抵抗材４を臨水壁１０の上面１０ａに敷設する場合には、擁壁２と止水材３および滑動抵抗材４とを容易に分離できるので、止水材３および滑動抵抗材４が劣化した場合に新たなものに取り替え易い。
【００２６】
臨水壁１０の上面１０ａに液状の止水材３および滑動抵抗材４を塗布する場合には、止水材３および滑動抵抗材４が固化するまでに時間を要するが、この実施形態のように、シート状の止水材３および滑動抵抗材４を用いると、止水材３および滑動抵抗材４の敷設作業をより短時間で完了するには有利になる。
【００２７】
この実施形態のように、止水材３と滑動抵抗材４とに同じ部材（止水材兼滑動抵抗材３、４）を使用すると、止水材３と滑動抵抗材４とに別種類の部材を使用する場合に比して、より少ない工数で臨水壁１０の上面１０ａに止水材３および滑動抵抗材４を敷設できるので、工期の短縮や作業員の軽労化を図るには有利になる。
【００２８】
さらに、止水材３と滑動抵抗材４とに同じ部材（止水材兼滑動抵抗材３、４）を使用することで、擁壁２の下面２ａの全範囲に滑動抵抗材４を配置することが可能となる。擁壁２の下面２ａの全範囲に滑動抵抗材４を配置すると、臨水壁１０および擁壁２に当接する滑動抵抗材４の表面積を大きく確保できるので、臨水壁１０に対する擁壁２の滑動を防止するには有利になる。
【００２９】
この実施形態のように、隣接する擁壁２の側面２ｂどうしの間に止水材６を介在させると、堤防１の遮水性を高めるには有利になる。したがって、擁壁２の側面２ｂどうしの間に止水材６を介在させることは必須ではないが止水材６を介在させることが好ましい。擁壁２を臨水壁１０の上面１０ａに載置する前に、工場などで擁壁２の側面２ｂに止水材６を予め接合しておくと、施工現場において擁壁２の側面２ｂに対する止水材６の位置合わせなどを行う必要がなくなる。
【００３０】
図６に例示する実施形態のように、擁壁２を臨水壁１０の上面１０ａに載置する前に、止水材３および滑動抵抗材４を擁壁２の下面２ａに予め接合しておくこともできる。この場合には、クレーンなどの重機を使用して止水材３および滑動抵抗材４が予め一体化されている擁壁２を吊り上げ、その擁壁２を臨水壁１０の上面１０ａの所定位置に載置する。これにより、臨水壁１０に対する擁壁２の設置が完了し、臨水壁１０に堤防１が構築される。
【００３１】
この実施形態では、止水材３と滑動抵抗材４とに別種類の部材を使用している。さらに、擁壁２の下部に溝部が形成されていて、その溝部に止水材３と滑動抵抗材４が配置されている。止水材３と滑動抵抗材４は、擁壁２を臨水壁１０の上面１０ａに載置した際に圧縮する分を見込んで擁壁２の下面２ａから下方に突設されている。擁壁２の下面２ａは先の実施形態のように平坦にしてもよいが、止水材３および滑動抵抗材４を配置する範囲が限定されている場合は、この実施形態のように溝部を設けて止水材３および滑動抵抗材４を配置することもできる。
【００３２】
図７に示すように、擁壁２を臨水壁１０の上面１０ａに載置すると、溝部が形成されている擁壁２の下面２ａの一部分と臨水壁１０の上面１０ａとの間に止水材３および滑動抵抗材４が介在した状態となり、溝部が形成されていない擁壁２の下面２ａの部分は臨水壁１０の上面１０ａに当接した状態となる。
【００３３】
図８に示すように、この実施形態では、平面視でＬ字状の擁壁２とＺ字状の擁壁２の二種類の擁壁２を組み合わせて堤防１を構築している。堤防１の延在方向（Ｙ方向）の中央部分をＺ字状の擁壁２で構築し、堤防１の延在方向の端部をＬ字状の擁壁２で構築している。擁壁２どうしは、擁壁２の突出部とその擁壁２に隣り合う擁壁２の切欠き部とを互いに嵌合し、擁壁２の突出部どうしがＸ方向に重なる向きで隣接配置している。そして、Ｘ方向に延在する擁壁２の側面２ｂどうしは互いに当接させた状態とし、Ｙ方向に延在する擁壁２の側面２ｂどうしの間に止水材６を介在させている。
【００３４】
図９に示すように、この実施形態では、それぞれの擁壁２の下面２ａの外周縁の全周に止水材３を配置し、止水材３で囲われた内側の領域の水域側と陸地側の２ヶ所に滑動抵抗材４を配置している。溝部が形成されていない擁壁２の下面２ａの中央部分は、臨水壁１０の上面１０ａに当接した状態になっている。その他の構成は、図１〜図５に例示した先の実施形態の堤防１と同じである。
【００３５】
この実施形態のように、擁壁２を臨水壁１０の上面１０ａに載置する前に、止水材３および滑動抵抗材４を擁壁２の下面２ａに予め接合しておく場合には、施工現場において、止水材３および滑動抵抗材４を敷設する作業や、止水材３および滑動防止部材４と擁壁２との位置合わせを行う必要がないので、工期の短縮や作業員の軽労化を図るには益々有利になる。
【００３６】
止水材３と滑動抵抗材４とに別種類の部材を使用する場合には、コンクリートに対する摩擦抵抗が小さい止水材３や、不透水性を有しない滑動抵抗材４も採用できるので、止水材３および滑動抵抗材４の選択肢が増える。即ち、より止水性に優れた止水材３や、コンクリートに対する摩擦抵抗がより大きい滑動抵抗材４を採用できるというメリットがある。
【００３７】
止水材３と滑動抵抗材４とに別種類の部材を使用する場合には、この実施形態のように、滑動抵抗材４よりも水域側に止水材３を配置するとよい。滑動抵抗材４よりも水域側に止水材３を配置することで、擁壁２に波が衝突した場合にも、滑動抵抗材４に水が侵入する可能性を低くできる。それ故、滑動抵抗材４による摩擦抵抗を安定して高く維持するには有利になる。この実施形態のように、擁壁２の水域側端部に止水材３を設けることが好ましいが、止水材３を擁壁２の中央部分に設けた場合にも、滑動抵抗材４を止水材３よりも陸地側に配置すれば、同様の効果を奏することができる。
【００３８】
より好ましくは、この実施形態のように、擁壁２の下面２ａの外周縁の全周に止水材３を配置し、止水材３で囲われた内側の領域に滑動抵抗材４を配置するとよい。滑動抵抗材４の四方に止水材３を配置することで、雨水などが滑動抵抗材４に侵入することをより確実に防ぐことができる。それ故、滑動抵抗材４による摩擦抵抗を安定して高く維持するには益々有利になる。
【００３９】
止水材３と滑動抵抗材４は先の実施形態のように、同じ部材（止水材兼滑動抵抗材３、４）を用いることもできる。また、先の実施形態においても、この実施形態のように止水材３と滑動抵抗材４とに別種類の部材を用いることもできる。
【００４０】
この実施形態のように、平面視でＬ字状の擁壁２とＺ字状の擁壁２とを組み合わせて堤防１を構築すると、嵌め合わされた擁壁２の側面２ｂどうしの間のすき間がＸ方向に一直線上に連通しないため、擁壁２に波が衝突した場合にも、隣り合う擁壁２どうしの間を水がより通り抜け難くなる。それ故、堤防１の遮水性を高めるには有利になる。また、平面視でＬ字状やＺ字状の擁壁２の突出部どうしをＸ方向に重ねて隣接配置することで、突出部が水域側にある擁壁２にかかる水圧が、突出部が陸側にある擁壁２によっても支持される構造となるため、それぞれの擁壁２がより臨水壁１０に対して滑動し難くなる。それ故、堤防１の安定性を高めるにはより有利になる。
【００４１】
平面視でＬ字状の擁壁２とＺ字状の擁壁２とを組み合わせて堤防１を構築する場合には、隣り合う擁壁２のＸ方向に延在する側面２ｂどうしの間に止水材６を介在させることもできるが、この実施形態のように、隣り合う擁壁２のＹ方向に延在する側面２ｂどうしの間に止水材６を介在させると、最小限の止水材６で効果的に堤防１の遮水性を高めることができる。なお、この実施形態では、平面視でＬ字状の擁壁２とＺ字状の擁壁２とを組み合わせて堤防１を構築しているが、平面視でＬ字状の擁壁２だけを組み合わせて堤防１を構築することもできるし、平面視でＺ字状の擁壁２だけを組み合わせて堤防１を構築することもできる。
【００４２】
この実施形態では、擁壁２の側面２ｂどうしの間に一枚のシート状の止水材６を介在させているが、擁壁２を臨水壁１０の上面１０ａに載置する前に、それぞれの擁壁２の側面２ｂに止水材６を予め接合しておき、擁壁２どうしを隣接配置する際に、擁壁２の側面２ｂに接合されている止水材６どうしを当接させることで、擁壁２の側面２ｂどうしの間に二枚の止水材６を介在させることもできる。
【００４３】
なお、上記で例示した実施形態では、平面視で臨水壁面１０の延在方向（Ｙ方向）に延在する直線状の堤防１を構築する場合を例示したが、本発明では、擁壁２の形状や配置を変えることで、平面視で屈曲した形状の堤防１や曲線状の堤防１を構築することも可能である。
【符号の説明】
【００４４】
１  堤防
２  プレキャスト擁壁
２ａ  プレキャスト擁壁の下面
２ｂ  プレキャスト擁壁の側面
３  止水材
４  滑動抵抗材
５  連結治具
６  （プレキャスト擁壁の側面どうしの間に介在させる）止水材
１０  臨水壁
１０ａ  臨水壁の上面
１０ｂ  臨水壁面
【図１】
2020016061.tif 000003
【図２】
2020016061.tif 000004
【図３】
2020016061.tif 000005
【図４】
2020016061.tif 000006
【図５】
2020016061.tif 000007
【図６】
2020016061.tif 000008
【図７】
2020016061.tif 000009
【図８】
2020016061.tif 000010
【図９】
2020016061.tif 000011